(57)【要約】【課題】  電子機器において、映像の向きが変更表示された場合に覚えやすい、音声出力に関するユーザの違和感を低減することが課題になっていた。【解決手段】  実施形態の電子機器は、自機器の向きを検出する検出部を備える。  また、前記検出された向きに合わせ、映像を表示する映像表示部を備える。  また、前記映像表示部の４つの角部近傍にそれぞれ設けられる４つのスピーカを備える。  また、ユーザから見て、前記表示された映像の左側に位置する２つのスピーカはステレオＬ音声を出力し、右側に位置する２つのスピーカはステレオＲ音声を出力する音声出力部を備える。【選択図】  図１
2013250821.tif 000002
【特許請求の範囲】
【請求項１】
自機器の向きを検出する検出部と、
前記検出された向きに合わせ、映像を表示する映像表示部と、
前記映像表示部の４つの角部近傍にそれぞれ設けられる４つのスピーカと、
ユーザから見て、前記表示された映像の左側に位置する２つのスピーカはステレオＬ音声を出力し、右側に位置する２つのスピーカはステレオＲ音声を出力する音声出力部を備える電子機器。
【請求項２】
自機器の向きを検出する検出部と、
前記検出された向きに合わせ、映像を表示する映像表示部と、
前記映像表示部の４つの角部近傍にそれぞれ設けられる４つのスピーカと、
ユーザから見て、前記表示された映像の左上側に位置するスピーカはステレオ高音域Ｌ（ＨＬ）音声を出力し、左下側に位置するスピーカはステレオ中低音域Ｌ（ＬＬ）音声を出力し、右上側に位置するスピーカはステレオ高音域Ｒ（ＨＲ）音声を出力し、右下側に位置するスピーカはステレオ中低音域Ｒ（ＬＲ）音声を出力する音声出力部を備える電子機器。
【請求項３】
前記向きの検出に重力を利用するセンサを用いる請求項１または２に記載の電子機器。
【請求項４】
前記向きを検出する加速度センサを備える請求項１乃至請求項３のいずれか１に記載の電子機器。
【請求項５】
前記検出部で自機器の向きが検出された場合に、その向きが検出された状態が所定時間経過した場合は、前記映像表示部に前記検出された向きに合わせた映像を表示する請求項１乃至請求項４のいずれか１に記載の電子機器。
【請求項６】
前記検出部は、前記自機器または映像表示部のいずれかの位置を検出する請求項１乃至請求項５のいずれか１に記載の電子機器。
【請求項７】
自機器の向きを検出するステップと、
前記検出された向きに合わせ、映像を表示するステップと、
ユーザから見て、前記表示された映像の左側に位置する前記映像表示部の４つの角部近傍にそれぞれ設けられる４つのスピーカの内の２つのスピーカはステレオＬ音声を出力し、右側に位置する２つのスピーカはステレオＲ音声を出力するステップを備える電子機器の制御方法。
【請求項８】
自機器の向きを検出するステップと、
前記検出された向きに合わせ、映像を表示するステップと、
ユーザから見て、前記表示された映像の左側に位置する前記映像表示部の４つの角部近傍にそれぞれ設けられる４つのスピーカの内の、前記表示された映像の左上側に位置するスピーカはステレオ高音域Ｌ（ＨＬ）音声を出力し、左下側に位置するスピーカはステレオ中低音域Ｌ（ＬＬ）音声を出力し、右上側に位置するスピーカはステレオ高音域Ｒ（ＨＲ）音声を出力し、右下側に位置するスピーカはステレオ中低音域Ｒ（ＬＲ）音声を出力するステップを備える電子機器の制御方法。
【請求項９】
自機器の向きを検出するステップと、
前記検出された向きに合わせ、映像を表示するステップと、
ユーザから見て、前記表示された映像の左側に位置する前記映像表示部の４つの角部近傍にそれぞれ設けられる４つのスピーカの内の２つのスピーカはステレオＬ音声を出力し、右側に位置する２つのスピーカはステレオＲ音声を出力するステップを備え、電子機器を制御する電子機器の制御プログラム。
【請求項１０】
自機器の向きを検出するステップと、
前記検出された向きに合わせ、映像を表示するステップと、
ユーザから見て、前記表示された映像の左側に位置する前記映像表示部の４つの角部近傍にそれぞれ設けられる４つのスピーカの内の、前記表示された映像の左上側に位置するスピーカはステレオ高音域Ｌ（ＨＬ）音声を出力し、左下側に位置するスピーカはステレオ中低音域Ｌ（ＬＬ）音声を出力し、右上側に位置するスピーカはステレオ高音域Ｒ（ＨＲ）音声を出力し、右下側に位置するスピーカはステレオ中低音域Ｒ（ＬＲ）音声を出力するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、タブレットＰＣやスマートフォン等の携帯可能な電子機器が普及している。
【０００３】
これらの電子機器は、ユーザにより携帯されることがあり、使用環境において、上下左右等の向きが変更されることがある。
【０００４】
そして、これらの電子機器の中には、例えば、電子機器の向きが変更すると、この向きの変更に応じて、表示される映像の向きを、例えば、縦や横に変更して表示することが可能なものがある。
【０００５】
しかし、映像の向きが変更表示されても、スピーカの位置は変更されず、音声出力は変更されないため、音声にユーザが違和感を覚える場合があった。
【０００６】
このため、電子機器において、映像の向きが変更表示された場合に覚えやすい、音声出力に関するユーザの違和感を低減することが課題になっていた。
【先行技術文献】
【特許文献】
【０００７】
【特許文献１】特開２００３−１８９３８９号公報
【発明の概要】
【発明が解決しようとする課題】
【０００８】
電子機器において、映像の向きが変更表示された場合に覚えやすい、音声出力に関するユーザの違和感を低減することが課題になっていた。
【課題を解決するための手段】
【０００９】
実施形態の電子機器は、自機器の向きを検出する検出部を備える。
【００１０】
また、前記検出された向きに合わせ、映像を表示する映像表示部を備える。
【００１１】
また、前記映像表示部の４つの角部近傍にそれぞれ設けられる４つのスピーカを備える。
【００１２】
また、ユーザから見て、前記表示された映像の左側に位置する２つのスピーカはステレオＬ音声を出力し、右側に位置する２つのスピーカはステレオＲ音声を出力する音声出力部を備える。
【図面の簡単な説明】
【００１３】
【図１】実施形態に係わる電子機器の動作を示す外観図。
【図２】実施形態に係わる電子機器の動作を示す外観図。
【図３】実施形態に係わる電子機器の構成を示すブロック図。
【図４】実施形態に係わる電子機器の動作を説明するフローチャート。
【図５】他の実施形態に係わる電子機器の動作を示す外観図。
【図６】他の実施形態に係わる電子機器の動作を示す外観図。
【図７】他の実施形態に係わる電子機器の動作を説明するフローチャート。
【発明を実施するための形態】
【００１４】
以下、図面を参照し、実施の形態を説明する。
【００１５】
図１は、実施形態に係わる電子機器の動作を示す外観図である。
【００１６】
この実施形態に係る電子機器（タブレットＰＣ）１０は、例えば、加速度センサ３０等の検出部を備え、電子機器（タブレットＰＣ）１０の向きを検出する。
【００１７】
なお、ここでは、電子機器１０としてタブレットＰＣを用いて説明を行うが、この実施形態は、電子機器１０は、タブレットＰＣの他にスマートフォンや携帯電話、ＰＣ等の電子機器に適用することも可能である。
【００１８】
そして、例えば、加速度センサ３０で検出された電子機器（タブレットＰＣ）１０の、例えば、上下方向や左右方向の向きに合わせ、映像表示部１７に映像を表示する。
【００１９】
ここでは、例えば、加速度センサ３０で検出された上下方向の向きに合わせ、図１に示す映像（例えば、山の映像）が表示される。
【００２０】
また、この実施形態に係る電子機器（タブレットＰＣ）１０は、図１に示すように、映像表示部１７の４つの角部（第１角部１７ａ、第２角部１７ｂ、第３角部１７ｃ、第４角部１７ｄ）の近傍に、それぞれ、４つのスピーカ（第１スピーカ１８Ａ、第２スピーカ１８Ｂ、第３スピーカ１８Ｃ、第４スピーカ１８Ｄ）が設けられる。
【００２１】
そして、図１に示すように、ユーザから見て、上記表示された映像（例えば、山の映像）の左側に位置する２つのスピーカはステレオＬ音声を出力し、右側に位置する２つのスピーカはステレオＲ音声を出力する。
【００２２】
ここで、加速度センサの説明をする。
【００２３】
加速度センサは、加速度を計測するセンサである。
【００２４】
加速度センサには、例えば、機械式、光学式、半導体式等の方式がある。加速度センサは、上記どの方式においても加速による錘（マス、質量）の位置変化を捉えることが基本原理である。
【００２５】
また、加速度センサには、例えば、検出軸数によって１軸、２軸、３軸のセンサがある。例えば、携帯電話等に使用される３軸加速度センサは、地球の重力加速度を計測することで携帯電話の傾きを検出し、画面が正しい向きで表示されるようにする。
【００２６】
この実施形態においても、同様に、地球の重力加速度を計測、すなわち、地球の重力加速度を利用し、電子機器１０の傾きを検出し、映像表示部１７に表示される映像（例えば、山の映像）が正しい向きで表示されるようにする。
【００２７】
図１（ａ）は、電子機器１０が、例えば、ユーザにより、予め想定されたデフォルトの向きに向けられ、このデフォルトの向きの傾きを加速度センサ３０で検出し、映像表示部１７に表示される映像（例えば、山の映像）が正しい向きで表示される例を示している。
【００２８】
ここでは、例えば、素直に「ＡＢＣ社」と読める向き（横向き）が、電子機器１０のデフォルトの向きである。図１（ａ）では、この電子機器１０のデフォルトの向きに合わせて、映像表示部１７に映像（例えば、山の映像）が表示されている。
【００２９】
そして、図１（ａ）においては、図に示すように、ユーザから見て、上記表示された映像（例えば、山の映像）の左側に位置する２つのスピーカ（第１スピーカ１８Ａ、第２スピーカ１８Ｂ）はステレオＬ音声を出力する。
【００３０】
また、ユーザから見て、上記表示された映像（例えば、山の映像）の右側に位置する２つのスピーカ（第３スピーカ１８Ｃ、第４スピーカ１８Ｄ）はステレオＲ音声を出力する。
【００３１】
ここで、ステレオＬ音声は、ステレオ音声のＬ（左）音声である。また、ステレオＲ音声は、ステレオ音声のＲ（右）音声である。
【００３２】
図１（ｂ）は、電子機器１０が、例えば、ユーザにより、上記デフォルトの向きから右方向に回転した向きに向けられ、この向きの傾きを加速度センサ３０で検出し、映像表示部１７に表示される映像（例えば、山の映像）が表示される例を示している。
【００３３】
ここでは、上記右方向に回転した向き（縦向き）が、電子機器１０の向きである。図１（ｂ）では、この電子機器１０の向きに合わせて、映像表示部１７に映像（例えば、山の映像）が表示されている。
【００３４】
そして、図１（ｂ）においては、図に示すように、ユーザから見て、上記表示された映像（例えば、山の映像）の左側に位置する２つのスピーカ（第２スピーカ１８Ｂ、第４スピーカ１８Ｄ）はステレオＬ音声を出力する。
【００３５】
また、ユーザから見て、上記表示された映像（例えば、山の映像）の右側に位置する２つのスピーカ（第１スピーカ１８Ａ、第３スピーカ１８Ｃ）はステレオＲ音声を出力する。
【００３６】
図２（ａ）は、電子機器１０が、例えば、ユーザにより、上記図１（ｂ）の向きからさらに右方向に回転した向きに向けられ、この向きの傾きを加速度センサ３０で検出し、映像表示部１７に表示される映像（例えば、山の映像）が表示される例を示している。
【００３７】
ここでは、上記図１（ｂ）の向きからさらに右方向に回転した向き（横向き）が、電子機器１０の向きである。図２（ａ）では、この電子機器１０の向きに合わせて、映像表示部１７に映像（例えば、山の映像）が表示されている。
【００３８】
そして、図２（ａ）においては、図に示すように、ユーザから見て、上記表示された映像（例えば、山の映像）の左側に位置する２つのスピーカ（第４スピーカ１８Ｄ、第３スピーカ１８Ｃ）はステレオＬ音声を出力する。
【００３９】
また、ユーザから見て、上記表示された映像（例えば、山の映像）の右側に位置する２つのスピーカ（第２スピーカ１８Ｂ、第１スピーカ１８Ａ）はステレオＲ音声を出力する。
【００４０】
図２（ｂ）は、電子機器１０が、例えば、ユーザにより、上記図２（ａ）の向きからさらに右方向に回転した向きに向けられ、この向きの傾きを加速度センサ３０で検出し、映像表示部１７に表示される映像（例えば、山の映像）が表示される例を示している。
【００４１】
ここでは、上記図２（ａ）の向きからさらに右方向に回転した向き（縦向き）が、電子機器１０の向きである。図２（ｂ）では、この電子機器１０の向きに合わせて、映像表示部１７に映像（例えば、山の映像）が表示されている。
【００４２】
そして、図２（ｂ）においては、図に示すように、ユーザから見て、上記表示された映像（例えば、山の映像）の左側に位置する２つのスピーカ（第３スピーカ１８Ｃ、第１スピーカ１８Ａ）はステレオＬ音声を出力する。
【００４３】
また、ユーザから見て、上記表示された映像（例えば、山の映像）の右側に位置する２つのスピーカ（第４スピーカ１８Ｄ、第２スピーカ１８Ｂ）はステレオＲ音声を出力する。
【００４４】
図３は、実施形態に係わる電子機器の構成を示すブロック図である。
【００４５】
これらの構成の少なくとも一部は、例えば、電子機器（スレート）１０内に電子部品として収容される。
【００４６】
この電子機器（スレート）１０は、ＣＰＵ（central processing unit）１０１、ノースブリッジ１０２、主メモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（electrically erasable programmable ROM）１１４等を備えている。
【００４７】
また、ＣＰＵ１０１は、電子機器（スレート）１０内の各部の動作を制御するプロセッサである。
【００４８】
ＣＰＵ１０１は、ＢＩＯＳ−ＲＯＭ１０７に格納されたＢＩＯＳを実行する。ＢＩＯＳは、ハードウェア制御のためのプログラムである。
【００４９】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、PCI EXPRESS規格のシリアルバスなどを介してＧＰＵ１０５との通信を実行する機能も有している。
【００５０】
ＧＰＵ１０５は、電子機器（スレート）１０のディスプレイモニタとして使用される映像表示部（ＬＣＤ）１７を制御する表示コントローラである。
【００５１】
このＧＰＵ１０５によって生成される表示信号は映像表示部（ＬＣＤ）１７に送られる。また、ＧＰＵ１０５は、ＨＤＭＩ制御回路３およびＨＤＭＩ端子２を介して、外部ディスプレイ１にデジタル映像信号を送出することもできる。
【００５２】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００５３】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００５４】
さらに、サウスブリッジ１０４は、サウンドコントローラ１０６との通信を実行する機能も有している。
【００５５】
サウンドコントローラ１０６は音源デバイスであり、再生対象のオーディオデータをスピーカ１８Ａ、１８Ｂ、１８Ｃ、１８ＤまたはＨＤＭＩ制御回路３に出力する。
【００５６】
ここでは、スピーカは少なくとも４つ構成される（１８Ａ、１８Ｂ、１８Ｃ、１８Ｄ）。
【００５７】
ＬＡＮコントローラ１０８は、例えばIEEE 802.3規格の有線通信を実行する有線通信デバイスであり、一方、無線ＬＡＮコントローラ１１２は、例えばIEEE 802.11g規格の無線通信を実行する無線通信デバイスである。ＵＳＢコントローラ１１１Ａは、（ＵＳＢコネクタ１９を介して接続される）例えばUSB 2.0規格に対応した外部機器との通信を実行する。
【００５８】
例えば、ＵＳＢコントローラ１１１Ａは、例えば、デジタルカメラに格納されている画像データファイルを受信するために使用される。カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００５９】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて電子機器（スレート）１０を電源オン／電源オフする機能を有している。
【００６０】
この実施の形態における表示制御は、例えばＣＰＵ１０１が主メモリ１０３やＨＤＤ１０９等に記録されたプログラムを実行させることにより行われる。
【００６１】
また、この実施の形態においては、電子機器１０は、筐体内に上記説明した加速度センサ３０を備えている。
【００６２】
図４は、実施形態に係わる電子機器の動作を説明するフローチャートである。
【００６３】
ステップＳ１００は、ここでの開始ステップである。続いて、ステップＳ１０１に進む。
【００６４】
ステップＳ１０１は、電子機器１０の電源をＯＮにするステップである。続いて、ステップＳ１０２に進む。
【００６５】
ステップＳ１０２は、例えば、上記デフォルトの表示方向で、映像表示装置１７に映像（例えば、山の映像）を表示出力するステップである。続いて、ステップＳ１０３に進む。
【００６６】
ステップＳ１０３は、例えば、加速度センサ３０で電子機器１０または映像表示部１７の向きを検出するステップである。加速度センサ３０は、例えば、重力に対する上下方向の向きを検出する。続いて、ステップＳ１０４に進む。
【００６７】
ステップＳ１０４は、加速度センサ３０で電子機器１０または映像表示部１７の向きは検出されたかを判別するステップである。電子機器１０または映像表示部１７の向きは検出されたと判別される場合は、ステップＳ１０５に進む（Ｙｅｓ）。電子機器１０または映像表示部１７の向きは検出されないと判別される場合は、ここでの処理を繰り返す（Ｎｏ）。
【００６８】
ステップＳ１０５は、加速度センサ３０で電子機器１０または映像表示部１７の向きは変更されたかを判別するステップである。電子機器１０または映像表示部１７の向きは変更されたと判別される場合は、ステップＳ１０６に進む（Ｙｅｓ）。電子機器１０または映像表示部１７の向きは変更されないと判別される場合は、ここでの処理を繰り返す（Ｎｏ）。
【００６９】
ステップＳ１０６は、上記電子機器１０または映像表示部１７の向きが変更された状態が継続されたまま、所定時間、例えば、０．５秒程度経過したかを判別するステップである。電子機器１０または映像表示部１７の向きが変更された状態が継続されたまま、所定時間、例えば、０．５秒程度経過したと判別される場合は、ステップＳ１０７に進む（Ｙｅｓ）。電子機器１０または映像表示部１７の向きが変更された状態が、所定時間、例えば、０．５秒程度、継続されないと判別される場合は、ここでの処理を繰り返す（Ｎｏ）。
【００７０】
ステップＳ１０７は、例えば、上下方向等の検出された向きに合わせ、映像表示部１７に映像（例えば、山の映像）を表示出力するステップである。続いて、ステップＳ１０８に進む。
【００７１】
ステップＳ１０８は、映像表示部１７に表示出力される映像（例えば、山の映像）の、ユーザから見て、左側に位置する２つのスピーカはステレオＬ音声出力。右側に位置する２つのスピーカはステレオＲ音声出力にするステップである（例えば、図１（ａ）、図１（ｂ）、図２（ａ）、図２（ｂ））。続いて、ステップＳ１０３に進み、上記処理を繰り返す。
【００７２】
すなわち、この実施形態においては、上記のように、例えば、電子機器（タブレットＰＣ）１０の４角近傍に、それぞれ、スピーカを配置し、Ｌ／Ｒ各々、上下のスピーカを組にして同じ信号を出力させ、あたかも画面中心で音が鳴っているように感じさせることが可能になる。
【００７３】
これにより、ユーザのステレオ感を向上させると共に、音声を画面中心から聞き取ることが可能になり、違和感なく映像を楽しむことができる。
【００７４】
また、この実施に係る電子機器（タブレットＰＣ）１０は、例えば、手に持って使用できるタブレットＰＣ等の携帯型機器であり、上記のように、左右上下方向に回転させてもＬ／Ｒチャンネルを追従させることが可能になる。
【００７５】
また、この実施に係る電子機器（タブレットＰＣ）１０は、左右上下方向に回転させても音声を画面中心から聞き取るように感じることが可能になる。
【００７６】
図５は、他の実施形態に係わる電子機器の動作を示す外観図である。
【００７７】
この実施形態においても、上記と同様に、電子機器（タブレットＰＣ）１０は、例えば、加速度センサ３０等の検出部を備え、電子機器（タブレットＰＣ）１０の向きを検出する。
【００７８】
そして、例えば、加速度センサ３０で検出された電子機器（タブレットＰＣ）１０の、例えば、上下方向や左右方向の向きに合わせ、映像表示部１７に映像を表示する。
【００７９】
ここでは、例えば、加速度センサ３０で検出された上下方向の向きに合わせ、図１に示す映像（例えば、山の映像）が表示される。
【００８０】
また、この実施形態に係る電子機器（タブレットＰＣ）１０は、図１に示すように、映像表示部１７の４つの角部（第１角部１７ａ、第２角部１７ｂ、第３角部１７ｃ、第４角部１７ｄ）の近傍に、それぞれ、４つのスピーカ（第１スピーカ１８Ａ、第２スピーカ１８Ｂ、第３スピーカ１８Ｃ、第４スピーカ１８Ｄ）が設けられる。
【００８１】
そして、図５（ａ）、図５（ｂ）および図６（ａ）、図６（ｂ）に示すように、ユーザから見て、上記表示された映像の左上側に位置するスピーカはステレオ高音域Ｌ（ＨＬ）音声を出力し、左下側に位置するスピーカはステレオ中低音域Ｌ（ＬＬ）音声を出力する。
【００８２】
また、右上側に位置するスピーカはステレオ高音域Ｒ（ＨＲ）音声を出力し、右下側に位置するスピーカはステレオ中低音域Ｒ（ＬＲ）音声を出力する。
【００８３】
この実施形態においても、例えば、加速度センサ３０を用い、地球の重力加速度を計測、すなわち、地球の重力加速度を利用し、電子機器１０の傾きを検出し、映像表示部１７に表示される映像（例えば、山の映像）が正しい向きで表示されるようにする。
【００８４】
図５（ａ）は、電子機器１０が、例えば、ユーザにより、予め想定されたデフォルトの向きに向けられ、このデフォルトの向きの傾きを加速度センサ３０で検出し、映像表示部１７に表示される映像（例えば、山の映像）が正しい向きで表示される例を示している。
【００８５】
ここでは、例えば、素直に「ＡＢＣ社」と読める向き（横向き）が、電子機器１０のデフォルトの向きである。図５（ａ）では、この電子機器１０のデフォルトの向きに合わせて、映像表示部１７に映像（例えば、山の映像）が表示されている。
【００８６】
そして、図５（ａ）においては、図に示すように、ユーザから見て、上記表示された映像（例えば、山の映像）の左上側に位置するスピーカ（第１スピーカ１８Ａ）は、ステレオ高音域Ｌ（ＨＬ）音声を出力する。また、左下側に位置するスピーカ（第２スピーカ１８Ｂ）は、ステレオ中低音域Ｌ（ＬＬ）音声を出力する。
【００８７】
また、右上側に位置するスピーカ（第３スピーカ１８Ｃ）は、ステレオ高音域Ｒ（ＨＲ）音声を出力する。また、右下側に位置するスピーカ（第４スピーカ１８Ｄ）は、ステレオ中低音域Ｒ（ＬＲ）音声を出力する。
【００８８】
ここで、ステレオ高音域Ｌ（ＨＬ）音声は、ステレオ高音域のＬ（左）音声、ステレオ中低音域Ｌ（ＬＬ）音声は、ステレオ中低音域のＬ（左）音声である。
【００８９】
また、ステレオ高音域Ｒ（ＨＲ）音声は、ステレオ高音域のＲ（右）音声、ステレオ中低音域Ｒ（ＬＲ）音声は、ステレオ中低音域のＲ（右）音声である。
【００９０】
ここで、高音域とは、例えば、再生周波数帯域が１．５ｋＨｚ〜２０ｋＨｚ程度、中音域とは、例えば、再生周波数帯域が１００Ｈｚ〜７ｋＨｚ程度、低音域とは、例えば、再生周波数帯域３０Ｈｚ〜５００Ｈｚ程度である。
【００９１】
ここでは、中低音域は、例えば、再生周波数帯域が３０Ｈｚ〜７ｋＨｚ程度である。
【００９２】
図５（ｂ）は、電子機器１０が、例えば、ユーザにより、上記デフォルトの向きから右方向に回転した向きに向けられ、この向きの傾きを加速度センサ３０で検出し、映像表示部１７に表示される映像（例えば、山の映像）が表示される例を示している。
【００９３】
ここでは、上記右方向に回転した向き（縦向き）が、電子機器１０の向きである。図５（ｂ）では、この電子機器１０の向きに合わせて、映像表示部１７に映像（例えば、山の映像）が表示されている。
【００９４】
そして、図５（ｂ）においては、図に示すように、ユーザから見て、上記表示された映像（例えば、山の映像）の左上側に位置するスピーカ（第２スピーカ１８Ｂ）は、ステレオ高音域Ｌ（ＨＬ）音声を出力する。また、左下側に位置するスピーカ（第４スピーカ１８Ｄ）は、ステレオ中低音域Ｌ（ＬＬ）音声を出力する。
【００９５】
また、右上側に位置するスピーカ（第１スピーカ１８Ａ）は、ステレオ高音域Ｒ（ＨＲ）音声を出力する。また、右下側に位置するスピーカ（第３スピーカ１８Ｃ）は、ステレオ中低音域Ｒ（ＬＲ）音声を出力する。
【００９６】
図６（ａ）は、電子機器１０が、例えば、ユーザにより、上記図１（ｂ）の向きからさらに右方向に回転した向きに向けられ、この向きの傾きを加速度センサ３０で検出し、映像表示部１７に表示される映像（例えば、山の映像）が表示される例を示している。
【００９７】
ここでは、上記図１（ｂ）の向きからさらに右方向に回転した向き（横向き）が、電子機器１０の向きである。図６（ａ）では、この電子機器１０の向きに合わせて、映像表示部１７に映像（例えば、山の映像）が表示されている。
【００９８】
そして、図６（ａ）においては、図に示すように、ユーザから見て、上記表示された映像（例えば、山の映像）の左上側に位置するスピーカ（第４スピーカ１８Ｄ）は、ステレオ高音域Ｌ（ＨＬ）音声を出力する。また、左下側に位置するスピーカ（第３スピーカ１８Ｃ）は、ステレオ中低音域Ｌ（ＬＬ）音声を出力する。
【００９９】
また、右上側に位置するスピーカ（第２スピーカ１８Ｂ）は、ステレオ高音域Ｒ（ＨＲ）音声を出力する。また、右下側に位置するスピーカ（第１スピーカ１８Ａ）は、ステレオ中低音域Ｒ（ＬＲ）音声を出力する。
【０１００】
図６（ｂ）は、電子機器１０が、例えば、ユーザにより、上記図６（ａ）の向きからさらに右方向に回転した向きに向けられ、この向きの傾きを加速度センサ３０で検出し、映像表示部１７に表示される映像（例えば、山の映像）が表示される例を示している。
【０１０１】
ここでは、上記図６（ａ）の向きからさらに右方向に回転した向き（縦向き）が、電子機器１０の向きである。図６（ｂ）では、この電子機器１０の向きに合わせて、映像表示部１７に映像（例えば、山の映像）が表示されている。
【０１０２】
そして、図６（ｂ）においては、図に示すように、ユーザから見て、上記表示された映像（例えば、山の映像）の左上側に位置するスピーカ（第３スピーカ１８Ｃ）は、ステレオ高音域Ｌ（ＨＬ）音声を出力する。また、左下側に位置するスピーカ（第１スピーカ１８Ａ）は、ステレオ中低音域Ｌ（ＬＬ）音声を出力する。
【０１０３】
また、右上側に位置するスピーカ（第４スピーカ１８Ｄ）は、ステレオ高音域Ｒ（ＨＲ）音声を出力する。また、右下側に位置するスピーカ（第２スピーカ１８Ｂ）は、ステレオ中低音域Ｒ（ＬＲ）音声を出力する。
【０１０４】
上記音声出力処理は、例えば、Ａｕｄｉｏ  ＤＳＰを用い、制御することが可能である。
【０１０５】
例えば、電子機器１０内部に高音域用のフィルタ（ＨＰＦ）と低音域用のフィルタ（ＬＰＦ）を構成し、Ｌ／Ｒの信号からそれぞれの帯域成分を抽出する。
【０１０６】
そして、上記仰角に合わせたＤｅｌａｙを通り回転方向に合わせてスピーカへの信号を切り替えるようにする。例えば、これにより、低音と高音のスピーカの距離による遅延量を補正することが可能になる。そして、例えば、Ｒｏｔａｔｅ  Ｓｗｉｔｃｈｅｒ等（図示せず）を介し、アンプ（図示せず）および上記４つのスピーカへ音声が出力される。
【０１０７】
図７は、他の実施形態に係わる電子機器の動作を説明するフローチャートである。
【０１０８】
ステップＳ２００は、ここでの開始ステップである。続いて、ステップＳ２０１に進む。
【０１０９】
ステップＳ２０１は、電子機器１０の電源をＯＮにするステップである。続いて、ステップＳ２０２に進む。
【０１１０】
ステップＳ２０２は、例えば、上記デフォルトの表示方向で、映像表示装置１７に映像（例えば、山の映像）を表示出力するステップである。続いて、ステップＳ２０３に進む。
【０１１１】
ステップＳ２０３は、例えば、加速度センサ３０で電子機器１０または映像表示部１７の向きを検出するステップである。加速度センサ３０は、例えば、重力に対する上下方向の向きを検出する。続いて、ステップＳ２０４に進む。
【０１１２】
ステップＳ２０４は、加速度センサ３０で電子機器１０または映像表示部１７の向きは検出されたかを判別するステップである。電子機器１０または映像表示部１７の向きは検出されたと判別される場合は、ステップＳ２０５に進む（Ｙｅｓ）。電子機器１０または映像表示部１７の向きは検出されないと判別される場合は、ここでの処理を繰り返す（Ｎｏ）。
【０１１３】
ステップＳ２０５は、加速度センサ３０で電子機器１０または映像表示部１７の向きは変更されたかを判別するステップである。電子機器１０または映像表示部１７の向きは変更されたと判別される場合は、ステップＳ１０６に進む（Ｙｅｓ）。電子機器１０または映像表示部１７の向きは変更されないと判別される場合は、ここでの処理を繰り返す（Ｎｏ）。
【０１１４】
ステップＳ２０６は、上記電子機器１０または映像表示部１７の向きが変更された状態が継続されたまま、所定時間、例えば、０．５秒程度経過したかを判別するステップである。電子機器１０または映像表示部１７の向きが変更された状態が継続されたまま、所定時間、例えば、０．５秒程度経過したと判別される場合は、ステップＳ２０７に進む（Ｙｅｓ）。電子機器１０または映像表示部１７の向きが変更された状態が、所定時間、例えば、０．５秒程度、継続されないと判別される場合は、ここでの処理を繰り返す（Ｎｏ）。
【０１１５】
ステップＳ２０７は、例えば、上下方向等の検出された向きに合わせ、映像表示部１７に映像（例えば、山の映像）を表示出力するステップである。続いて、ステップＳ２０８に進む。
【０１１６】
ステップＳ２０８は、映像表示部１７に表示出力される映像（例えば、山の映像）の、ユーザから見て、左上側に位置するスピーカはステレオ高音域Ｌ音声出力（ＨＬ）。左下側に位置するスピーカはステレオ中低音域Ｌ音声出力（ＬＬ）。右上側に位置するスピーカはステレオ高音域Ｒ音声出力（ＨＲ）。右下側に位置するスピーカはステレオ中低音域Ｒ音声出力（ＬＲ）にするステップである（例えば、図５（ａ）、図５（ｂ）、図６（ａ）、図６（ｂ））。続いて、ステップＳ２０３に進み、上記処理を繰り返す。
【０１１７】
すなわち、この実施形態においては、例えば、電子機器（タブレットＰＣ）１０を回転させた際、上下スピーカの再生帯域に関し、上側の２つのスピーカで高域を再生し、下側の２つのスピーカで中低域を再生するように、分割して音声を再生する。
【０１１８】
これにより、ユーザが聴く音声の歪みを低減し、クリアな音質を実現することが可能になる。
【０１１９】
すなわち、上記のような、電子機器（タブレットＰＣ）１０の回転に追従して帯域分割の切り替えを行うことにより、耳の高さに近い位置、すなわち、上側の２つのスピーカで指向性のある高音域を再生させ、クリアな音での試聴を可能とする。
【０１２０】
また、下側の２つのスピーカで低音域を再生させ、スピーカの負荷を低減することが可能になり、また、音の歪みを低減させることが可能になる。
【０１２１】
すなわち、上記説明した実施形態に係る電子機器は、自機器の向きを検出する検出部（加速度センサ３０）を備える。
【０１２２】
また、上記検出された向きに合わせ、映像を表示する映像表示部（映像表示部１７）を備える。
【０１２３】
また、上記映像表示部（映像表示部１７）の４つの角部近傍にそれぞれ設けられる４つのスピーカ（第１スピーカ、第２スピーカ、第３スピーカ、第４スピーカ）を備える。
【０１２４】
また、ユーザから見て、上記表示された映像の左側に位置する２つのスピーカ（第１スピーカ、第２スピーカ、第３スピーカ、第４スピーカの内の２つ）はステレオＬ音声を出力し、右側に位置する２つのスピーカ（第１スピーカ、第２スピーカ、第３スピーカ、第４スピーカの内の２つ）はステレオＲ音声を出力する音声出力部を備える。
【０１２５】
また、ユーザから見て、上記表示された映像の左上側に位置するスピーカはステレオ高音域Ｌ（ＨＬ）音声を出力し、左下側に位置するスピーカはステレオ中低音域Ｌ（ＬＬ）音声を出力し、右上側に位置するスピーカはステレオ高音域Ｒ（ＨＲ）音声を出力し、右下側に位置するスピーカはステレオ中低音域Ｒ（ＬＲ）音声を出力する音声出力部を備える電子機器。
【０１２６】
また、上記向きの検出に重力を利用するセンサ（加速度センサ３０）を用いる。
【０１２７】
また、上記向きを検出する加速度センサ（加速度センサ３０）を備える。
【０１２８】
また、上記検出部で自機器の向きが検出された場合に、その向きが検出された状態が所定時間経過した場合は、上記映像表示部に上記検出された向きに合わせた映像を表示する。
【０１２９】
また、上記検出部は、上記自機器または映像表示部のいずれかの位置を検出する。
【０１３０】
上記のように構成することによって、この実施の形態においては、電子機器において、映像の向きが変更表示された場合に覚えやすい、音声出力に関するユーザの違和感を低減することが可能になる。
【０１３１】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１３２】
なお、上記実施形態は、記述そのものに限定されるものではなく、実施段階では、その趣旨を逸脱しない範囲で、構成要素を種々変形して具体化することが可能である。
【０１３３】
また、上記実施形態に開示されている複数の構成要素の適宜な組み合せにより種々の発明を形成できる。
【０１３４】
例えば、実施形態に示される全構成要素から幾つかの構成要素を削除してもよい。更に、異なる実施形態に亘る構成要素を適宜組み合せてもよい。
【符号の説明】
【０１３５】
１０…電子機器、１７…映像表示部（ＬＣＤ）、１７ａ…第１角部、１７ｂ…第２角部、１７ｃ…第３角部、１７ｄ…第４角部、１８Ａ…第１スピーカ、１８Ｂ…第２スピーカ、１８Ｃ…第３スピーカ、１８Ｄ…第４スピーカ、３０…加速度センサ。
【図１】
2013250821.tif 000003
【図２】
2013250821.tif 000004
【図３】
2013250821.tif 000005
【図４】
2013250821.tif 000006
【図５】
2013250821.tif 000007
【図６】
2013250821.tif 000008
【図７】
2013250821.tif 000009